【手続補正書】
【提出日】平成22年2月24日(2010.2.24)
【手続補正１】
【補正対象書類名】特許請求の範囲
【補正対象項目名】全文
【補正方法】変更
【補正の内容】
【特許請求の範囲】
【請求項１】
画像形成用データに基づいて媒体にインクを吐出して画像形成を行う画像処理装置であって、
入力された画像データから画像形成用データへの変換を行う変換手段と、
画像形成に用いるインク量を調整する調整手段と、
前記変換手段により変換した画像形成用データに基づいて、画像形成インクコストを算出する画像形成インクコスト算出手段と、
前記変換手段により変換した画像形成用データに基づいて、白黒画像形成インクコストを算出する白黒画像形成インクコスト算出手段と、
前記画像形成インクコスト算出手段により算出した前記画像形成インクコストと、前記白黒画像形成インクコスト算出手段により算出した前記白黒画像形成インクコストとを比較判定する比較判定手段と、
前記比較判定手段の判定結果に基づいて、前記調整手段によるインク量の調整を行うか、又は、画像形成を行うかを判断する判断手段と、
を備えたことを特徴とする画像処理装置。
【請求項２】
前記比較判定手段は、
前記画像形成インクコスト算出手段により算出した前記画像形成インクコストが、前記白黒画像形成インクコスト算出手段により算出した前記白黒画像形成インクコストのｓ％と同じであるか否かを判定することを特徴とする請求項１に記載の画像処理装置。
【請求項３】
前記ｓの値を設定可能とする設定手段と、
前記設定手段により設定した前記ｓの値をユーザが変更可能な入力手段とをさらに有することを特徴とする請求項１または２に記載の画像処理装置。
【請求項４】
前記画像形成インクコスト算出手段は、
画像形成に用いるインク量に単位インク量当りのインクコストを乗じて前記画像形成インクコストを求めることを特徴とする請求項３に記載の画像処理装置。
【請求項５】
前記画像形成インクコスト算出手段は、
インクカートリッジから型式情報を取得し、取得した前記型式情報から前記単位インク量当りのインクコストを決定する決定手段を有することを特徴とする請求項４に記載の画像処理装置。
【請求項６】
前記調整手段は、
前記入力された画像データのＲＧＢ値の補正を行う際に、前記入力された画像データのＲＧＢ値の最大レベル値をそれぞれＲ_maxおよびＧ_max、Ｂ_maxとし、係数ｐ（ｐは０以上１．０以下の値）、前記入力された画像データのＲＧＢの補正値をＲ’Ｇ’Ｂ’とするとＲ’＝  Ｒ_max  −  ｐ  ×（Ｒ_max  −  Ｒ）、Ｇ’＝  Ｇ_max  −  ｐ  ×（Ｇ_max  −  Ｇ）、Ｂ’＝  Ｂ_max  −  ｐ  ×（Ｂ_max  −  Ｂ）で表される前記係数ｐを乗じて行うことを特徴とする請求項１から５のいずれか１項に記載の画像処理装置。
【請求項７】
前記調整手段は、
前記入力された画像データのＣＭＹＫ値の補正を行う際に、前記入力された画像データのＣＭＹＫ値に係数ｑ（ｑは０以上１．０以下の値）を乗ずることを特徴とする請求項１から５のいずれか１項に記載の画像処理装置。
【請求項８】
前記調整手段は、
前記画像形成に用いるインク量の調整で用いる総量規制値に係数ｒ（ｒは０以上１．０以下の値）を乗ずることを特徴とする請求項１から５のいずれか１項に記載の画像処理装置。
【請求項９】
前記係数ｐ、ｑおよびｒの初期値を書き換え可能な情報として保持する保持手段を有し、
前記調整手段は、
前記保持手段で保持されている前記係数ｐ、ｑおよびｒの初期値から取得するか、または、ネットワークあるいは記録保持装置を介して前記係数ｐ、ｑおよびｒを取得して、前記画像形成に用いるインク量の調整を行うことを特徴とする請求項６から８のいずれか１項に記載の画像処理装置。
【請求項１０】
前記保持手段は、
前記画像形成に用いるインク量の調整に用いる前記係数ｐあるいはｑ、ｒの下限値あるいは上限値を書き換え可能な情報として保存することを特徴とする請求項９に記載の画像処理装置。
【請求項１１】
前記調整手段は、
前記設定手段で設定したｓの値を基に、前記係数ｐ、ｑおよびｒの値を調整することを特徴とする請求項１から１０のいずれか１項に記載の画像処理装置。
【請求項１２】
前記調整手段は、
画像を形成するオブジェクトの種類および大きさにより前記係数ｐ、ｑおよびｒの値を調整することを特徴とする請求項１から１０のいずれか１項に記載の画像処理装置。
【請求項１３】
画像形成用データに基づいて媒体にインクを吐出して画像形成を行う画像処理方法であって、
入力された画像データから画像形成用データへの変換を行う変換工程と、
前記変換工程により変換した画像形成用データに基づいて、画像形成インクコストを算出する画像形成インクコスト算出工程と、
前記変換工程により変換した画像形成用データに基づいて、白黒画像形成インクコストを算出する白黒画像形成インクコスト算出工程と、
前記画像形成インクコスト算出工程により算出した前記画像形成インクコストと、前記白黒画像形成インクコスト算出工程により算出した前記白黒画像形成インクコストとを比較判定する比較判定工程と、
前記比較判定工程の判定結果に基づいて、画像形成に用いるインク量の調整を行うか、又は、画像形成を行うかを判断する判断工程と、
前記画像形成に用いるインク量を調整する調整工程と、
を備えたことを特徴とする画像処理方法。
【請求項１４】
画像形成用データに基づいて媒体にインクを吐出して画像形成を行うためのプログラムであって、
入力された画像データから画像形成用データへの変換を行う変換処理と、
前記変換処理により変換した画像形成用データに基づいて、画像形成インクコストを算出する画像形成インクコスト算出処理と、
前記変換処理により変換した画像形成用データに基づいて、白黒画像形成インクコストを算出する白黒画像形成インクコスト算出処理と、
前記画像形成インクコスト算出処理により算出した前記画像形成インクコストと、前記白黒画像形成インクコスト算出処理により算出した前記白黒画像形成インクコストとを比較判定する比較判定処理と、
前記比較判定処理の判定結果に基づいて、前記調整処理によるインク量の調整を行うか、又は、画像形成を行うかを判断する判断処理と、
前記画像形成に用いるインク量を調整する調整処理と、
をコンピュータに実行させることを特徴とする画像処理プログラム。
【手続補正２】
【補正対象書類名】明細書
【補正対象項目名】００１４
【補正方法】変更
【補正の内容】
【００１４】
上記の課題を解決するため、本発明の画像処理装置は、画像形成用データに基づいて媒体にインクを吐出して画像形成を行う画像処理装置であって、入力された画像データから画像形成用データへの変換を行う変換手段と、画像形成に用いるインク量を調整する調整手段と、変換手段により変換した画像形成用データに基づいて、画像形成インクコストを算出する画像形成インクコスト算出手段と、変換手段により変換した画像形成用データに基づいて、白黒画像形成インクコストを算出する白黒画像形成インクコスト算出手段と、画像形成インクコスト算出手段により算出した画像形成インクコストと、白黒画像形成インクコスト算出手段により算出した白黒画像形成インクコストとを比較判定する比較判定手段と、比較判定手段の判定結果に基づいて、調整手段によるインク量の調整を行うか、又は、画像形成を行うかを判断する判断手段と、を備えたことを特徴とする。
【手続補正３】
【補正対象書類名】明細書
【補正対象項目名】００１５
【補正方法】変更
【補正の内容】
【００１５】
また、本発明の画像処理装置において、比較判定手段は、画像形成インクコスト算出手段により算出した画像形成インクコストが、白黒画像形成インクコスト算出手段により算出した白黒画像形成インクコストのｓ％と同じであるか否かを判定することを特徴とする。
【手続補正４】
【補正対象書類名】明細書
【補正対象項目名】００１６
【補正方法】変更
【補正の内容】
【００１６】
また、本発明の画像処理装置において、ｓの値を設定可能とする設定手段と、設定手段により設定したｓの値をユーザが変更可能な入力手段とをさらに有することを特徴とする。
【手続補正５】
【補正対象書類名】明細書
【補正対象項目名】００１７
【補正方法】変更
【補正の内容】
【００１７】
また、本発明の画像処理装置において、画像形成インクコスト算出手段は、画像形成に用いるインク量に単位インク量当りのインクコストを乗じて画像形成インクコストを求めることを特徴とする。
【手続補正６】
【補正対象書類名】明細書
【補正対象項目名】００１８
【補正方法】変更
【補正の内容】
【００１８】
また、本発明の画像処理装置において、画像形成インクコスト算出手段は、インクカートリッジから型式情報を取得し、取得した型式情報から単位インク量当りのインクコストを決定する決定手段を有することを特徴とする。
【手続補正７】
【補正対象書類名】明細書
【補正対象項目名】００１９
【補正方法】変更
【補正の内容】
【００１９】
また、本発明の画像処理装置において、調整手段は、入力された画像データのＲＧＢ値の補正を行う際に、入力された画像データのＲＧＢ値の最大レベル値をそれぞれＲ_maxおよびＧ_max、Ｂ_maxとし、係数ｐ（ｐは０以上１．０以下の値）、入力された画像データのＲＧＢの補正値をＲ’Ｇ’Ｂ’とするとＲ’＝  Ｒ_max  −  ｐ  ×（Ｒ_max  −  Ｒ）、Ｇ’＝  Ｇ_max  −  ｐ  ×（Ｇ_max  −  Ｇ）、Ｂ’＝  Ｂ_max  −  ｐ  ×（Ｂ_max  −  Ｂ）で表される係数ｐを乗じて行うことを特徴とする。
【手続補正８】
【補正対象書類名】明細書
【補正対象項目名】００２０
【補正方法】変更
【補正の内容】
【００２０】
また、本発明の画像処理装置において、調整手段は、入力された画像データのＣＭＹＫ値の補正を行う際に、入力された画像データのＣＭＹＫ値に係数ｑ（ｑは０以上１．０以下の値）を乗ずることを特徴とする。
【手続補正９】
【補正対象書類名】明細書
【補正対象項目名】００２１
【補正方法】変更
【補正の内容】
【００２１】
また、本発明の画像処理装置において、調整手段は、画像形成に用いるインク量の調整で用いる総量規制値に係数ｒ（ｒは０以上１．０以下の値）を乗ずることを特徴とする。
【手続補正１０】
【補正対象書類名】明細書
【補正対象項目名】００２２
【補正方法】変更
【補正の内容】
【００２２】
また、本発明の画像処理装置において、係数ｐ、ｑおよびｒの初期値を書き換え可能な情報として保持する保持手段を有し、調整手段は、保持手段で保持されている係数ｐ、ｑおよびｒの初期値から取得するか、または、ネットワークあるいは記録保持装置を介して係数ｐ、ｑおよびｒを取得して、画像形成に用いるインク量の調整を行うことを特徴とする。
【手続補正１１】
【補正対象書類名】明細書
【補正対象項目名】００２３
【補正方法】変更
【補正の内容】
【００２３】
また、本発明の画像処理装置において、保持手段は、画像形成に用いるインク量の調整に用いる係数ｐあるいはｑ、ｒの下限値あるいは上限値を書き換え可能な情報として保存することを特徴とする。
【手続補正１２】
【補正対象書類名】明細書
【補正対象項目名】００２４
【補正方法】変更
【補正の内容】
【００２４】
また、本発明の画像処理装置において、調整手段は、設定手段で設定したｓの値を基に、係数ｐ、ｑおよびｒの値を調整することを特徴とする。
【手続補正１３】
【補正対象書類名】明細書
【補正対象項目名】００２５
【補正方法】変更
【補正の内容】
【００２５】
また、本発明の画像処理装置において、調整手段は、画像を形成するオブジェクトの種類および大きさにより係数ｐ、ｑおよびｒの値を調整することを特徴とする。
【手続補正１４】
【補正対象書類名】明細書
【補正対象項目名】００２６
【補正方法】変更
【補正の内容】
【００２６】
本発明の画像処理方法は、画像形成用データに基づいて媒体にインクを吐出して画像形成を行う画像処理方法であって、入力された画像データから画像形成用データへの変換を行う変換工程と、変換工程により変換した画像形成用データに基づいて、画像形成インクコストを算出する画像形成インクコスト算出工程と、変換工程により変換した画像形成用データに基づいて、白黒画像形成インクコストを算出する白黒画像形成インクコスト算出工程と、画像形成インクコスト算出工程により算出した画像形成インクコストと、白黒画像形成インクコスト算出工程により算出した白黒画像形成インクコストとを比較判定する比較判定工程と、比較判定工程の判定結果に基づいて、調整工程によるインク量の調整を行うか、又は、画像形成を行うかを判断する判断工程と、画像形成に用いるインク量を調整する調整工程と、を備えたことを特徴とする。
【手続補正１５】
【補正対象書類名】明細書
【補正対象項目名】００２７
【補正方法】変更
【補正の内容】
【００２７】
本発明の画像処理プログラムは、画像形成用データに基づいて媒体にインクを吐出して画像形成を行うためのプログラムであって、入力された画像データから画像形成用データへの変換を行う変換処理と、変換処理により変換した画像形成用データに基づいて、画像形成インクコストを算出する画像形成インクコスト算出処理と、変換処理により変換した画像形成用データに基づいて、白黒画像形成インクコストを算出する白黒画像形成インクコスト算出処理と、画像形成インクコスト算出処理により算出した画像形成インクコストと、白黒画像形成インクコスト算出処理により算出した白黒画像形成インクコストとを比較判定する比較判定処理と、比較判定処理の判定結果に基づいて、調整処理によるインク量の調整を行うか、又は、画像形成を行うかを判断する判断処理と、画像形成に用いるインク量を調整する調整処理と、をコンピュータに実行させることを特徴とする。